(57)【要約】【課題】    フードを備えた使い捨て作業着において、使い捨て作業着に適した簡便なフードの舞い上がりを防止する。【解決手段】    本願考案に係る作業着は、体を覆う身頃部１と、身頃部の首回り部分から上方に延設されたフード２と、一端が身頃部１の裏側に設けられて他の一端を首回りから身頃部１の表側に露出させる紐部材３と、身頃部１の表側に設けられて紐部材３の上記他の一端側を身頃部１の表側へ着脱自在に係止する係止部４とを備える。フード２を首回り部分へ畳み或いは丸めた状態にし、紐部材３の上記身頃部１の表側に露出する部分を係止部４へ係止することによって、紐部材３が上方からフード２を押さえ、フード２が上方に開くのを防止する。【選択図】          図１
0003125433.tif 000002
【実用新案登録請求の範囲】
【請求項１】
体を覆う身頃部と、身頃部の首回り部分から上方に延設されたフードとを備えた使い捨ての作業着において、
一端が身頃部の裏側に設けられて他の一端を首回りから身頃部の表側に露出させる紐部材と、身頃部の表側に設けられて紐部材の上記他の一端側を身頃部の表側へ着脱自在に係止する係止部とを備え、
フードを首回り部分へ畳み或いは丸めた状態にし、紐部材の上記身頃部の表側に露出する部分を係止部へ係止することによって、紐部材が上方からフードを押さえ、フードが上方に開くのを防止するものであることを特徴とする使い捨て作業着。
【請求項２】
上記の身頃部及びフードが不織布にて形成され、
上記の紐部材は、伸縮性のある素材にて形成され、表面が布で覆われたものであり、
上記の係止部は、雄部と雌部とを固着することにより紐部材の一端側を係止することができる面ファスナを備えたものであることを特徴とする請求項１記載の使い捨て作業着。
【請求項３】
上記の紐部材は、少なくとも身頃部の表側に露出する部分に環状部を備え、
係止部は、基端が身頃部の表側に固定され且つ面ファスナの雄部と面ファスナの雌部とを備えた一枚のフィルム状部材であり、その先端から上記環状部に挿通した後、折り畳んで雄部を雌部へ固着することにより、紐部材を係止するものであることを特徴とする請求項２記載の使い捨て作業着。
【請求項４】
上記の係止部は、身頃部において、前身頃の首回り部分の左右と、後身頃の項部分の、少なくとも３箇所に設けられたものであり、
上記のフードは、身頃部に縫い付けられたものであり、フードと身頃部の縫い合わせ部の、上記係止部と対応する少なくとも３箇所において、上記紐部材の一端がフードと共に身頃部に縫い合わされたものであることを特徴とする請求項３記載の使い捨て作業着。
【請求項５】
身頃部は下方にズボン部分が延設された繋ぎ服であることを特徴とする請求項４記載の使い捨て作業着。
【考案の詳細な説明】
【技術分野】
【０００１】
本願の考案は、使い捨て作業着の改良に関する。
【背景技術】
【０００２】
【特許文献１】実用新案登録第３１１２３８８号公報
【０００３】
近年、塗装作業や防塵を要する作業の際に、使い捨ての作業着が用いられる。この作業着は、不織布でできたものであり、作業に応じて、身体を覆う身頃部の襟ぐり（首回り）に、頭部を覆うためのフードを備えたもの（特許文献１）と、このようなフードを備えないものとがある。
フードを備えたものは、例えば、アスベストの飛散の危惧ある環境中で、作業する場合に用いられ、頭部を含めてアスベストが身体に付着するのを防止する場合などに必要とされる。
一方、アスベストなど危険物質の飛散の危惧がない環境での作業では、フードは不要で邪魔になるので、このようなフードを備えない作業着が望まれる。
【０００４】
例えば、アスベストが飛散する環境下での作業と、そうでない環境下での作業との双方を予定している際に、フードを有する作業着１着で兼用するものとし、アスベストが飛散する危惧のある作業現場ではフードを使用して頭部を覆い、アスベストが飛散しない作業現場に移動した際には襟ぐりにフードを畳んで使用すればよいと考えられるかも知れない。
しかし、実際は、折り畳んでいたフードが風で舞い上がって視界を遮り、作業者の事故に繋がったりするので、フードを必要とする作業現場と、フードが不要な作業現場との夫々において、フード付きの作業着と、フードなしの作業着の双方の作業着を用意する必要に迫られた。特に、使い捨てに適した不織布などの軽量の素材で形成された作業着では、上記の風によるフードの舞い上がりは、顕著である。
襟ぐりから、身頃部の内側にフードを丸め込んで、身頃部の裏と身体とでフードを挟んで止めることも考えられるが、作業中フードに付着した塵などの汚れが体に接触し、作業着を着て作業を行う意義をなくしてしまう。
結局、現状では、上記の場合、フード付きの作業着と、フードなしの作業着の両方を用意するしかなかった。
【０００５】
このように、作業環境に応じて、フードつきの作業着と、フードなしの作業着の、二種類の作業着を用意するのは手間であり、コストの面でも不利である。また、作業者にとっても、作業現場への移動の度に、作業着を着替えるのは手間であり、迅速な作業の支障ともなりかねない。
【考案の開示】
【考案が解決しようとする課題】
【０００６】
本願考案は、フードを備えた使い捨て作業着において、使い捨て作業着に適した簡便なフードの舞い上がりを防止する手段を提供して、上記の課題の解決を図る。
【課題を解決するための手段】
【０００７】
本願第１の考案は、体を覆う身頃部１と、身頃部の首回り部分から上方に延設されたフード２とを備えた使い捨ての作業着について、次の構成を採るものを提供する。
即ち、この使い捨て作業着は、一端が身頃部１の裏側に設けられて他の一端を首回りから身頃部１の表側に露出させる紐部材３と、身頃部１の表側に設けられて紐部材３の上記他の一端側を身頃部１の表側へ着脱自在に係止する係止部４とを備える。フード２を首回り部分へ畳み或いは丸めた状態にし、紐部材３の上記身頃部１の表側に露出する部分を係止部４へ係止することによって、紐部材３が上方からフード２を押さえ、フード２が上方に開くのを防止する。
【０００８】
本願第２の考案は、上記本願第１の考案にあって、次の構成を採る使い捨て作業着を提供する。
即ち、上記の身頃部１及びフード２が不織布にて形成されている。上記の紐部材３は、伸縮性のある素材にて形成され、表面が布で覆われたものである。上記の係止部４は、雄部と雌部とを固着することにより紐部材３の一端側を係止することができる面ファスナを備えたものである。
【０００９】
本願第３の考案は、上記本願第２の考案にあって、次の構成を採る使い捨て作業着を提供する。
即ち、上記の紐部材３は、少なくとも身頃部１の表側に露出する部分に環状部を備える。係止部４は、基端が身頃部１の表側に固定され且つ面ファスナの雄部と面ファスナの雌部とを備えた一枚のフィルム状部材であり、その先端から上記環状部に挿通した後、折り畳んで雄部と雌部とを固着することにより、紐部材３を係止する。
【００１０】
本願第４の考案は、上記本願第３の考案にあって、次の構成を採る使い捨て作業着を提供する。
即ち、上記の係止部４は、身頃部１において、前身頃の首回り部分の左右と、後身頃において項（うなじ）部分の、少なくとも３箇所に設けられている。上記のフード２は、身頃部１に縫い付けられたものであり、フード２と身頃部１の縫い合わせ部の、上記係止部４と対応する少なくとも３箇所において、上記紐部材３の一端がフード２と共に身頃部１に縫い合わされたものである。
【００１１】
本願第５の考案では、上記第４の考案にあって、身頃部は、下方にズボン部分が延設された繋ぎ服である使い捨て作業着を提供する。
【考案の効果】
【００１２】
本願第１〜５の考案は、フードを備えた使い捨て作業着において、首回りに畳んだ状態或いは丸めた状態にして、紐部材の上記身頃部の表面に露出する部分を係止部へ係止することによって、紐部材がフードを押さえ、フードが上方に開くのを防止するものであるため、風でフードが舞い上がって、作業者の視界を遮るといった事態の発生を低減した。特に、上記の通り、この考案は、紐部材と、この紐部材を係止する係止部といった、使い捨て作業着に適した簡単な構成によって、上記のフードの舞い上がりを抑制した。
このため、従来フードなしの作業着で行っていた作業に際しても、フード付きの作業着一種で兼用することができ、フード付きとフードなしの二種の作業着を調達する手間やコスト、作業者の着替えの手間を排除した。
また、係止部を身頃の裏側（身体と接触する部位）ではなく、身頃表面に設けることによって、係止部が直接身体と接触するのを防止して、着心地を損なわない。
【００１３】
本願第２の考案では、使い捨てに軽量な布に比して適した不織布にて形成された、フードが特に風に舞い上がり易い作業着について、フードの舞い上がりを抑えたものである。
特に、紐部材について、伸縮性のある素材を用いることにより、係止部への係止が容易であり、また、確実に、フードを抑えることができる。また、特に紐部材は、その表面が布で覆われているので、首筋など身体と接触しても、皮膚がかぶれたり、違和感を感じたりすることがなく、着心地が損なわれるといった事態を低減した。
また、係止部にマジックテープ（登録商標）といった面ファスナを備えたものを採用することによって、面ファスナの雌部と雄部と固着して面ファスナに紐部材を挟むという簡単な動作で、係止部に紐部材を係止するとができる。更に、このような面ファスナの採用により、安価且つ簡便に作業着を形成することができる。
例えば、日常生活において雨具や野外活動に用いられるヤッケやパーカーなどのフードを備えた被服の中には、襟にフードを収納する袋部を設けて当該袋部の中にフードを収納し、ジッパーと呼ばれるスライドファスナ（滑り式留金具）で袋部をとじてフードが袋部から出ないように固定するものが見受けられるが、不織布でできた使い捨ての作業着においては、極めて低コストにて、製造する必要から、袋部を備えた襟を設けたり、作業着の身頃の前を開閉する以外にもスライドファスナを用いたりすれば、使い捨ての作業着の製造に当って全く採算に合わない。また、スナップについても、製造時の生地への取り付けに際して専用の取り付け装置を要し、製造工程が複雑となりコストのかかるものである。特に、スナップは、使用において、係止時に一点に大きな力が掛かるものであり、不織布といった弱い生地への使用は適さない。この点について本願第２の考案は、上記の通り、面ファスナを採用することにより、使い捨て作業着として安価なものを提供し得たものである。
【００１４】
本願第３の考案では、一枚のフィルム部材である係止部を、紐部材の環状部へ通した上で、当該係止部を畳んで、その面ファスナの雌雄を固着することにより、係止部が環状部から脱落するのを阻止して、係止部と紐部材の係止を簡単でより確実なものとした。
【００１５】
本願第４の考案では、係止部４を、前身頃の首回り部分の左右と、後身頃の項部分の、少なくとも３箇所に設けると共に、当該係止部に対応する３箇所に設けられた紐部材の夫々にて、フードを抑えることができ、より確実にフードの舞い上がりを防止した。
また、紐部材の基端（一端）を、フードと身頃部の縫い合わせ目に、一緒に縫い合わせるものであるため、身頃の裏において、紐部材の当該端部が身体と接触せず、違和感を感じさせない。従って、紐部材の配設によって、着心地を低減させない。
【００１６】
本願第５の考案では、ズボン部分を備えた繋ぎ服について、上記の効果を得たものである。
【考案を実施するための最良の形態】
【００１７】
以下、図面に基づき本願考案の実施の形態について説明する。
図１〜図５を用いて、本願考案の一実施の形態を説明する。図１は、本願考案の一実施の形態に係る使い捨て作業着のフードを畳んだ状態を示す正面図である。図２は、図１に示す作業着の一部切欠部要部拡大正面図である。図３は、図１に示す作業着の一部切欠要部背面図である。図４は、上記作業着のフードを開いた状態を示す一部切欠要部拡大正面図である。図５は図４に示す状態の作業着の一部切欠要部拡大背面図である。
【００１８】
図１〜図３へ示す通り、この使い捨て作業着は、全体が不織布にて形成されたものであり、体を覆う身頃部１と、身頃部の首回り部分から上方に延設されたフード２と、一端が身頃部１の裏側に設けられて他の一端を首回りから身頃部１の表面側に露出させる紐部材３と、身頃部１の表側に設けられて紐部材３の上記他の一端側を身頃部１表面へ着脱自在に係止する係止部４とを備え、フード２を首回り部分へ畳み或いは丸めた状態にし、紐部材３の上記身頃部１の表面に露出する部分を係止部４へ係止することによって、紐部材３が上方からフード２を押さえ、フード２が上方に開くのを防止する。
この実施の形態において、作業着は、図示の通り、前開きであり、スライドファスナ５を備えて、正面を閉じることができるものである。
以下、各部の構成について詳しく説明する。
【００１９】
図４及び図５へ示す通り、係止部４は、基端４０が身頃部１表面に固定され且つ面ファスナの雄部４１の雌部４２とを備えた一枚のフィルム状部材である。この雌部４２は、面ファスナのループ部分であり、また、雄部４１は当該ループ部分に引っ掛かる面ファスナの鉤状部分である。図４及び図５において、雌部４２は、雄部４１よりも、係止部４の先端４３側に分布するものを示したが、雌雄の位置は、図示したものと逆、即ち、雌部４２は、雄部４１よりも、係止部４３の基端４０側に分布するものであっても実施可能である。また、上記のように、雌雄を分離した状態に分布させるのではなく、雄部と雌部とが入り混じった状態に分布させ、折り畳むことによって、雌雄が係合するように実施することも可能である。
図１乃至図５へ示す通り、係止部４は、身頃部１において、前身頃１１の首回り部分６の左右と、後身頃１２において項（うなじ）部分の、少なくとも３箇所に設けられている。係止部４は、身頃部１へ縫い付けるものとしても、また接着するものとしても何れでも実施可能である。
【００２０】
紐部材３は、伸縮性のある素材にて形成され、表面が布で覆われたものである。伸縮性のある素材としては、ゴムやウレタンを採用することができる。
図４へ示す通り、紐部材３は、伸縮性のある１本の紐の両端を、身頃部１の裏面即ち、身体と接触する内側面に縫い付けて、輪即ち環状にしたものである。ここで、請求項１の紐部材３の一端というのは、当該紐の両端をいい、紐部材の他の一端というのは、輪の部分の、襟ぐり（首回り部分）から身頃部１の外部へ露出する部分のうち、最も係止部４に近接する部分である。
上記のフード２は、身頃部１に縫い付けられたものである。そして、このフード２と身頃部１の縫い合わせ部７の、上記係止部４に最も近接する、少なくとも３箇所において、上記紐部材３の一端（上記１本の紐の両端）がフード２と共に身頃部１に縫い合わされたものである。
【００２１】
図４及び図５へ示す開いたフード２を丸め或いは折り畳めた状態にして、係止部４をその先端から紐部材３が呈する上記輪（上環状部）に挿通した後、図２及び図３へ示す通り、折り畳んで雄部４１と雌部４２とを固着することにより、紐部材３を係止することができる。
このように紐部材３が係止されることにより、当該紐部材３によって、丸め或いは畳まれたフード２の上部が、上方より紐部材３に押さえつけられ、風を受けても舞い上がらない。
【００２２】
図１乃至図５に示す実施の形態において、１つの係止部は、一枚のフィルム部材に雌雄を備えた面ファスナとしたが、雌雄別々のフィルム部材にて形成され、固着により一体となって、紐部材を係止するものであっても実施可能である。また、この実施の形態において、紐部材３と係止部４とは、作業着の夫々３箇所設けられたものを示したが、このような数に限定するものではなく、４箇所以上に設けられたものであっても、或いは３箇所より少ないものとしても実施可能である。但し、フード２を確実に固定するためには、少なくとも上記図１乃至図５へ示す３箇所に設けるのが好ましい。
また、図１乃至図５に示す実施の形態において、作業着は、前開きで、スライドファスナ５が設けられたものを示したが、前開きでなく下方から被るものであっても実施可能である。
この他、図１乃至図５に示す実施の形態では、作業着は上衣として、主として上半身を覆うものを示したが、図６に示す通り、下方にズボン部分８を備えた繋ぎ服として実施することも可能である。
【図面の簡単な説明】
【００２３】
【図１】本願考案の一実施の形態に係る使い捨て作業着のフードを畳んだ状態を示す正面図である。
【図２】図１に示す作業着の一部切欠部要部拡大正面図である。
【図３】図１に示す作業着の一部切欠要部背面図である。
【図４】上記作業着のフードを開いた状態を示す一部切欠要部拡大正面図である。
【図５】図４に示す状態の作業着の一部切欠要部拡大背面図である。
【図６】本願考案に係る作業着の他の実施の形態を示す正面図である。
【符号の説明】
【００２４】
１    身頃部
２    フード
３    紐部材
４    係止部
【図１】
0003125433.tif 000003
【図２】
0003125433.tif 000004
【図３】
0003125433.tif 000005
【図４】
0003125433.tif 000006
【図５】
0003125433.tif 000007
【図６】
0003125433.tif 000008